(57)【要約】【課題】本発明は、開封を検知する機能と高いセキュリティ性を有する改ざん防止ラベルであって、残留層を被着物から除去することが可能な改ざん防止ラベルを提供することを課題とする。【解決手段】  本発明は、中間基材層と、該中間基材層の一方の面に接合された表面層と、該中間基材層の他方の面に積層された第１の粘着剤層とを有する改ざん防止ラベルであって、第１の粘着剤層は、改ざん防止ラベルを被着体に貼り付けるための粘着剤層であり、中間基材層は、表面層を剥離する際に、面方向に沿って復元不可能に分断され得る層であり、表面層を剥離後に被着体上に残る残留層であって、中間基材層の分断残留領域と第１の粘着剤層から構成される残留層は、被着体から剥離可能な状態で被着体に接着し得る層であることを特徴とする改ざん防止ラベルに関する。【選択図】図１
2016224358.tif 000002
【特許請求の範囲】
【請求項１】
中間基材層と、該中間基材層の一方の面に接合された表面層と、該中間基材層の他方の面に積層された第１の粘着剤層とを有する改ざん防止ラベルであって、
前記第１の粘着剤層は、前記改ざん防止ラベルを被着体に貼り付けるための粘着剤層であり、
前記中間基材層は、前記表面層を被着体から剥離する際に、面方向に沿って復元不可能に分断される層であり、
前記表面層を剥離後に前記被着体上に残る残留層であって、前記中間基材層の分断残留領域と前記第１の粘着剤層から構成される残留層は、前記被着体から剥離可能な状態で前記被着体に接着し得る層であることを特徴とする改ざん防止ラベル。
【請求項２】
前記表面層は、カバー層と、前記カバー層の一方の面に積層された第２の粘着剤層とを有し、前記第２の粘着剤層が前記中間基材層と接するように積層され、
前記中間基材層は、前記表面層を剥離する際に、前記カバー層と前記第２の粘着剤層の間で剥離が生じるより先に、面方向に沿って分断され得る層である請求項１に記載の改ざん防止ラベル。
【請求項３】
前記表面層の面積は、前記中間基材層の面積よりも大きく、
前記第２の粘着剤層の少なくとも一部は、前記被着体に貼着するものであり、
前記第２の粘着剤層は、前記表面層を剥離する際に、前記カバー層と前記第２の粘着剤層との間で剥離が生じるより先に、前記被着体から剥離し得る層である請求項２に記載の改ざん防止ラベル。
【請求項４】
前記中間基材層は、剥離層と、支持層とを有し、
前記中間基材層は、前記剥離層と前記支持層の境界面で分断する層である請求項１〜３のいずれか１項に記載の改ざん防止ラベル。
【請求項５】
前記支持層および第１の粘着剤層は、破断することなく前記被着体から剥離される層である請求項４に記載の改ざん防止ラベル。
【請求項６】
前記中間基材層の外周縁は、前記表面層の外周縁よりも内側に位置する請求項１〜５のいずれか１項に記載の改ざん防止ラベル。
【請求項７】
前記中間基材層には、切り込み線もしくはミシン目線が設けられている請求項１〜６のいずれか１項に記載の改ざん防止ラベル。
【請求項８】
識別情報が印刷された印刷層をさらに有する請求項１〜７のいずれか１項に記載の改ざん防止ラベル。
【発明の詳細な説明】
【技術分野】
【０００１】
本発明は、改ざん防止ラベルに関する。具体的には、本発明は、開封検知機能を有する改ざん防止ラベルであって、必要時には、残留層の除去が可能な改ざん防止ラベルに関する。
【背景技術】
【０００２】
従来、被着体を封緘するラベルであって、開封検知が可能な各種ラベルが開発されている。具体的には、製品を梱包した包装体の開口部にラベルを貼着することにより、製品の封印や、未開封の証明を行っている。このようなラベルとしては、開梱の際に基材が破壊するものや、表面層を基材層から剥離する際に剥離跡が残るものが知られている。
【０００３】
例えば、特許文献１には、表面基材と、疑似接着層と、中間基材と、粘着剤層を有する封緘ラベルが開示されている。ここでは、表面基材を剥離する際に、疑似接着層内で剥離が生じ、これにより開封を検知することができる。また、特許文献２には、印字可能層と、剥離層と、印刷層と、粘着剤層を有する貼り替え防止用ラベルが開示されている。ここでは、印字可能層と剥離層は、境界面で分断するように構成されている。
特許文献１及び２のラベルにおいては、疑似接着層もしくは分断面が設けられており、表面層（表面基材や印刷可能層）を剥離した後には、その表面層を再度貼り付けすることができない。このようなラベルとすることで、開封検知ラベルの不正貼り替えを抑止することが提案されている。
【先行技術文献】
【特許文献】
【０００４】
【特許文献１】特開２０１０−３２７０８号公報
【特許文献２】特開２０１２−１１８２７４号公報
【発明の概要】
【発明が解決しようとする課題】
【０００５】
上述したような従来のラベルにおいては、表面基材層を剥離した後に残る残留層は、被着面に強固に接着するように設計されていることが通常であった。従来のラベルでは、残留層を構成する粘着剤層の粘着力は非常に強く、また、粘着剤層の上の基材には脆質なものが用いられていた。このため、残留層を被着物から剥離することは容易ではなく、剥離できたとしても被着物の表面層が破壊されるなどの問題が生じていた。
【０００６】
従来のラベルは、被着物を再利用しない用途には好適な場合が多い。しかし通函等を被着物とする場合には、従来のようなラベルは必ずしも好適ではなかった。具体的には、通函からラベルの残留層を剥離して再利用をする際には、通函の表面層が破壊されたり、残留層の一部が除去しきれないため、再利用される通函では、その強度や意匠性が損なわれるという問題があった。このため、用途によっては、開封を検知する機能に加えて、開封を検知した後には、残留層を被着物から除去することが可能なラベルが求められている。
【０００７】
そこで本発明者らは、開封を検知する機能に加えて、開封を検知した後には、残留層を被着物から除去することが可能なラベルを提供することを目的として検討を進めた。
【課題を解決するための手段】
【０００８】
上記の課題を解決するために鋭意検討を行った結果、本発明者らは、特定の性質を有し、かつ所定の層構成を有する改ざん防止ラベルを用いることにより、開封を検知する機能と高いセキュリティ機能が発揮されることを見出した。さらに本発明者らは、このような改ざん防止ラベルにおいては、残留層を被着物から除去することが可能であることを見出し、本発明を完成するに至った。
具体的に、本発明は、以下の構成を有する。
【０００９】
［１］中間基材層と、該中間基材層の一方の面に接合された表面層と、該中間基材層の他方の面に積層された第１の粘着剤層とを有する改ざん防止ラベルであって、第１の粘着剤層は、改ざん防止ラベルを被着体に貼り付けるための粘着剤層であり、中間基材層は、表面層を被着体から剥離する際に、面方向に沿って復元不可能に分断される層であり、表面層を剥離後に被着体上に残る残留層であって、中間基材層の分断残留領域と第１の粘着剤層から構成される残留層は、被着体から剥離可能な状態で被着体に接着し得る層であることを特徴とする改ざん防止ラベル。
［２］表面層は、カバー層と、カバー層の一方の面に積層された第２の粘着剤層とを有し、第２の粘着剤層が中間基材層と接するように積層され、中間基材層は、表面層を剥離する際に、カバー層と第２の粘着剤層の間で剥離が生じるより先に、面方向に沿って分断され得る層である［１］に記載の改ざん防止ラベル。
［３］表面層の面積は、中間基材層の面積よりも大きく、第２の粘着剤層の少なくとも一部は、被着体に貼着するものであり、第２の粘着剤層は、表面層を剥離する際に、カバー層と第２の粘着剤層との間で剥離が生じるより先に、被着体から剥離し得る層である［２］に記載の改ざん防止ラベル。
［４］中間基材層は、剥離層と、支持層とを有し、中間基材層は、剥離層と支持層の境界面で分断する層である［１］〜［３］のいずれかに記載の改ざん防止ラベル。
［５］支持層および第１の粘着剤層は、破断することなく被着体から剥離される層である［４］に記載の改ざん防止ラベル。
［６］中間基材層の外周縁は、表面層の外周縁よりも内側に位置する［１］〜［５］のいずれかに記載の改ざん防止ラベル。
［７］中間基材層には、切り込み線もしくはミシン目線が設けられている［１］〜［６］のいずれかに記載の改ざん防止ラベル。
［８］識別情報が印刷された印刷層をさらに有する［１］〜［７］のいずれかに記載の改ざん防止ラベル。
【００１０】
より具体的に、本発明は、以下の構成を有していてもよい。
［１０１］中間基材層と、該中間基材層の一方の面に接合された表面層と、該中間基材層の他方の面に積層された第１の粘着剤層とを有する改ざん防止ラベルであって、第１の粘着剤層は、改ざん防止ラベルを被着体に貼り付けるための粘着剤層であり、中間基材層は、該中間基材層の面方向に沿って復元不可能に分断可能な層であり、中間基材層に対する表面層の粘着力（Ｎ／ｍ）をＡとし、中間基材層を該中間基材層の面方向に沿って分断するのに必要な剥離力（Ｎ／ｍ）をＢとし、被着体に対する第１の粘着剤層の粘着力（Ｎ／ｍ）をＥとしたとき、Ｂ＜Ｅ、Ｂ＜Ａである改ざん防止ラベル。
［１０２］支持層の層内強度（Ｎ／ｍ）をＨとしたとき、Ｅ＜Ｈである［１０１］に記載の改ざん防止ラベル。
【発明の効果】
【００１１】
本発明によれば、開封を検知した後には、残留層を被着物から除去することが可能な改ざん防止ラベルを得ることができる。さらに本発明の改ざん防止ラベルにおいては、中間基材層の復元ができないため、セキュリティ性が高められている。
【図面の簡単な説明】
【００１２】
【図１】図１は、本発明の改ざん防止ラベルの構成を説明する断面図である。
【図２】図２は、本発明の改ざん防止ラベルの構成を説明する平面図である。
【図３】図３は、本発明の改ざん防止ラベルの使用態様を説明する図である。
【発明を実施するための形態】
【００１３】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。
【００１４】
（改ざん防止ラベル）
本発明は、中間基材層と、該中間基材層の一方の面に接合された表面層と、該中間基材層の他方の面に積層された第１の粘着剤層とを有する改ざん防止ラベルに関する。ここで、第１の粘着剤層は、改ざん防止ラベルを被着体に貼り付けるための粘着剤層であり、中間基材層は、表面層を被着体から剥離する際に、面方向に沿って復元不可能に分断される層である。中間基材層は、改ざん防止ラベルの他のいずれかの層又は層間が分断又は剥離するより先に、分断されることが好ましい。ここで、分断とは、中間基材層の一方の表面を全て含む領域と、他方の表面を全て含む領域に面方向に沿って分離することをいう。また、本発明では、表面層を剥離した後には被着体上に残留層が残る。この残留層は、中間基材層の分断残留領域と第１の粘着剤層から構成される層である。本発明では、このような残留層は、被着体から剥離可能な状態で被着体に接着することができる。
【００１５】
本発明の改ざん防止ラベルにおいては、表面層を剥離する際に、中間基材層以外のいずれかの層における分断又は中間基材層も含む全ての層の層間の剥離が生じるより先に、中間基材層が面方向に沿って復元不可能に分断するように構成されている。すなわち、本発明の改ざん防止ラベルを用いた場合、被着体の開口部等に貼着された改ざん防止ラベルの表面層は開口時に剥離されるが、この時、表面層と共に中間基材層の一部が分断し剥離される。開口時には、中間基材層以外の層の分断や層間の剥離は生じることはない。そのような構成とするために、第１の粘着剤層は、一定以上の凝集力を有しており、また、第１の粘着剤層は、中間基材層に対して十分な投錨力を有している。ここで、中間基材層に対して十分な投錨力を有していることは、中間基材層を被着体から剥離する際に、第１の粘着剤層が糊残りすることなく被着体から剥離するように構成されていることを意味する。
【００１６】
上述したように、開口時には表面層と共に中間基材層の一部が分断するが、これらの層が剥離された後には、中間基材層の分断残留領域と第１の粘着剤層から構成される残留層が被着体上に残ることとなる。すなわち、本発明の改ざん防止ラベルは、残留層を予め含有しているとも言える。残留層は、表面層と共に中間基材層の一部を剥離した後に被着体上に残る層であり、表面層を剥離する際には、被着体から剥離されない。しかし、その後の必要時には被着体から剥離され得る。すなわち、残留層は被着体から剥離可能な状態で被着体に接着し得る層である。なお、残留層が被着体から剥離可能な状態であることは、第１粘着剤層が、糊残りすることなく被着体から剥離するように構成されていることを意味する。
【００１７】
本発明の改ざん防止ラベルは上記のような構成を有するため、表面層を剥離することで、開封を検知することができる。さらに、本発明の改ざん防止ラベルにおいては、表面層を剥離した後は、表面層を元の状態に戻すことを試みたとしても、中間基材層の再接着ができないため、ラベルの復元（偽造）が不可能である。このため、本発明の改ざん防止ラベルはセキュリティ性が高められている。
また、本発明の改ざん防止ラベルは上記のような構成を有するため、表面層を剥離し開封が検知される状態となった後には、残留層を被着物から除去することが可能である。
【００１８】
図１は、本発明の改ざん防止ラベルの構成を説明する断面図である。図１に示されているように、本発明の改ざん防止ラベル１００は、中間基材層２と、表面層４と、第１の粘着剤層６を有する。表面層４は、中間基材層２の一方の面に接合されており、第１の粘着剤層６は、中間基材層２の他方の面に積層されている。すなわち、本発明の改ざん防止ラベル１００においては、表面層４と、中間基材層２と、第１の粘着剤層６はこの順で積層されている。
【００１９】
本発明は、中間基材層と、該中間基材層の一方の面に接合された表面層と、該中間基材層の他方の面に積層された第１の粘着剤層とを有する改ざん防止ラベルであって、中間基材層に対する表面層の粘着力（Ｎ／ｍ）をＡとし、中間基材層を該中間基材層の面方向に沿って分断するのに必要な剥離力（Ｎ／ｍ）をＢとし、被着体に対する第１の粘着剤層の粘着力（Ｎ／ｍ）をＥとしたとき、Ｂ＜Ｅ、Ｂ＜Ａである改ざん防止ラベルに関するものでもある。
ここで、中間基材層に対する表面層の粘着力Ａ（Ｎ／ｍ）とは、表面層を中間基材層から速度３００ｍｍ／分で１８０度方向に剥離する際の剥離力をいう。また、中間基材層を該中間基材層の面方向に沿って分断するのに必要な剥離力Ｂ（Ｎ／ｍ）とは、中間基材層の一方の表面を全て含む領域と、他方の表面を全て含む領域に面方向に沿って分断するために必要な力である。中間基材層を該中間基材層の面方向に沿って分断するのに必要な剥離力Ｂ（Ｎ／ｍ）は中間基材層の一方の表面を全て含む領域を、他方の表面を全て含む領域から３００ｍｍ／分で１８０度方向に剥がす際の剥離力をいう。被着体に対する第１の粘着剤層の粘着力Ｅ（Ｎ／ｍ）とは、第１の粘着剤層と被着体との間の粘着力をいう。粘着力Ｅ（Ｎ／ｍ）は、第１の粘着剤層と残留した中間基材層の一部（残留層）を被着体から３００ｍｍ／分で１８０度方向に剥がす際の剥離力をいう。この粘着力Ｅ（Ｎ／ｍ）は、被着体表面の材質に併せて、第１の粘着剤層を構成する粘着剤を適宜選択することによって調整することができる。
【００２０】
上記粘着力Ａ（Ｎ／ｍ）、剥離力Ｂ（Ｎ／ｍ）及び粘着力Ｅ（Ｎ／ｍ）は、Ｂ＜Ｅ及びＢ＜Ａの関係を満たすことが好ましい。
Ｂ＜Ｅの関係であることは、本発明の改ざん防止ラベルの表面層を被着体から剥離させるように力を加えたときに、被着体と第１の粘着剤層とが剥離するより先に、中間基材層が面方向に沿って分断することを意味する。より具体的には、ＢがＥに対して８０％以下であることが好ましく、７０％以下であることがより好ましく、５０％以下であることがさらに好ましい。
Ｂ＜Ａの関係であることは、本発明の改ざん防止ラベルの表面層を被着体から剥離させるように力を加えたときに、中間基材層と表面層の層間で剥離が生じるより先に、中間基材層が面方向に沿って分断することを意味する。より具体的には、ＢがＡに対して８０％以下であることが好ましく、７０％以下であることがより好ましく、５０％以下であることがさらに好ましい。
【００２１】
また、被着体３０を繰り返し使用する場合には、残留層は、層破壊又は糊残りすることなく被着体３０から剥離されることが好ましい。そのために、第１の粘着剤層６は、本発明の改ざん防止ラベルが被着体から剥離されるときに、糊残りすることなく被着体３０から剥離されるのに十分な凝集力を有していることが好ましい。また、第１の粘着剤層６は、中間基材層２が面方向に沿って分断するより先に第１の粘着剤層６が中間基材層２から分離しない程度に中間基材層２に対して十分な投錨力を有していることが好ましい。
【００２２】
図１に示されているように、表面層４は、カバー層１４と、カバー層１４の一方の面に積層された第２の粘着剤層２４を有することが好ましく、表面層４は、カバー層１４と第２の粘着剤層２４からなる層であることがより好ましい。ここでは、第２の粘着剤層２４は、中間基材層２と接するように積層される層であり、カバー層１４と中間基材層２は、第２の粘着剤層２４を介して接着される。
【００２３】
本発明では、中間基材層は、表面層を剥離する際に、カバー層と第２の粘着剤層の間で剥離が生じるより先に、面方向に沿って分断され得る層である。このような構成とするためには、カバー層に対する第２の粘着剤層の投錨力を大きくする必要がある。すなわち、カバー層に対する第２の粘着剤層の粘着力を高める必要がある。
【００２４】
図１において、中間基材層２の分断面は点線Ｍで表されている。中間基材層２は、分断面Ｍにおいて分断され、少なくとも２層に層分離されることが好ましい。後述するように、中間基材層２を２層の複層構成とし、２層の擬似接着面で分断されることがより好ましい。
【００２５】
中間基材層２を２層構成とする場合は、中間基材層２は剥離層１２と、支持層２２から構成される層であることが好ましく、剥離層１２と、支持層２２は、境界面（分断面Ｍ）で分断する層であることが好ましい。ここでは、剥離層１２と支持層２２は、擬似接着されていることが好ましく、この場合、分断面Ｍは、擬似接着面であることが好ましい。擬似接着とは、剥離層１２と支持層２２が剥離された後は、再接着ができない接着様式をいう。このような様式を本明細書においては、中間基材層が分断された後には、復元不可能な状態であるという。
【００２６】
残留層を被着体から剥離する際には、破断せずに剥離されることが好ましい。中間基材層２が剥離層１２と、支持層２２から構成される層である場合、支持層２２と第１の粘着剤層６は、破断することなく被着体から剥離される層であることが好ましい。また、支持層２２の層内強度（Ｎ／ｍ）をＨとした場合、被着体に対する第１の粘着剤層の粘着力Ｅ（Ｎ／ｍ）との関係性は、Ｅ＜Ｈであることが好ましい。このような関係性とすることにより、表面層４を剥離した後に残留する残留層を、被着面から容易に剥離することができる。従来の偽造防止等を目的としたラベルでは、支持層が脆質であり、極薄構造であることが通常であった。このため、支持層と第１の粘着剤層を被着面から剥離することを試みた場合、支持層が途中で破断し、剥離することができなかった。しかし、本発明では、支持層２２の層内強度Ｈ（Ｎ／ｍ）は、被着体に対する第１の粘着剤層の粘着力Ｅ（Ｎ／ｍ）よりも大きいため、残留層を剥離する際に、支持層が途中で破断することがなく、残留層を被着体から容易に剥離することができる。より具体的には、ＥがＨに対して８０％以下であることが好ましく、７０％以下であることがより好ましく、５０％以下であることがさらに好ましい。
【００２７】
中間基材層２が剥離層１２と、支持層２２から構成される層である場合、支持層２２は、剥離層１２よりも強い強度を有していることが好ましい。本発明では、剥離層１２を薄膜化し、残留する支持層２２の強度を強くすることで、残留層を剥離する際に、剥離をし易くすることが可能となっている。また、上記のような構成は、表面層４を剥離した後に、剥離層１２と支持層２２が再接着することを防止することにも寄与している。
【００２８】
図１に示されているように、中間基材層２には、切り込み線又はミシン目線Ｓが設けられていることが好ましい。なお、切り込み線又はミシン目線Ｓは、第１の粘着剤層６にも設けられていてもよい。中間基材層２に切り込み線Ｓが設けられている場合は、表面層４と、中間基材層２の一部（剥離層）が剥離された後に、被着体の開口部に沿って容易に開封又は開口することが可能となる。また、中間基材層２にミシン目線Ｓが設けられている場合は、表面層４と、中間基材層２の一部（剥離層）が剥離された後に、ミシン目線に沿って破断をすることで被着体の開封又は開口することとなる。なお、切り込み線Ｓを設けた場合は、残留層を破断する手間を省くことができる。一方、ミシン目線Ｓを設けた場合は、被着体の開口部を構成する各部材を安定して係止することができる。また、ミシン目線Ｓを設けた場合は、表面層を剥離することに加えて、もう一度破断することが必要となるため、二重の改ざん防止機能を付与することができる。
【００２９】
なお、本発明の改ざん防止ラベルにおいては、表面層４には切り込み線又はミシン目線が設けられていない。本発明では、表面層４に切り込み線又はミシン目線を設けないことで、表面層が誤って破断することが抑制されている。本発明では、表面層を剥離する前は、意図せずに被着体の開口部が開封又は開口されることが抑制されており、表面層を剥離ことで開封又は開口可能となる。
【００３０】
本発明の改ざん防止ラベルにおいては、表面層は、中間基材層の全表面を覆うように設けられていることが好ましい。このように表面層を設けることにより、中間基材層の一部（剥離層）を容易に剥離することが可能となり、さらに、剥離層の一部が意図せずに支持層上に残留することを防ぐことができる。
【００３１】
表面層がカバー層と、カバー層の一方の面に積層された第２の粘着剤層とを有する場合は、第２の粘着剤層は、カバー層の一方の面の全表面上に積層されていることが好ましい。すなわち、カバー層と第２の粘着剤層の面積は等しいことが好ましい。このような態様とすることにより、カバー層が意図せず剥離することを防止することができる。
【００３２】
本発明では、表面層と、中間基材層の面積は同じであってもよく、中間基材層の外周縁と、表面層の外周縁が全て重なりあっていてもよいが、表面層の面積は、中間基材層の面積よりも大きいことが好ましい。中でも、中間基材層の外周縁の少なくとも一部が、表面層の外周縁よりも内側に位置することが好ましく、中間基材層の外周縁の全部が、表面層の外周縁よりも内側に位置することが好ましい。
【００３３】
図２は、本発明の改ざん防止ラベルの構成を説明する平面図であって、表面層と、中間基材層の大きさの関係を説明する図である。なお、図２は、表面層側から見たイメージ図（平面図）であり、中間基材層の外周縁の位置は点線で示されている。図２に示されているように、中間基材層の外周縁Ｐの少なくとも一部は、表面層４の外周縁の内側に位置することが好ましい。図２（ａ）では、中間基材層の外周縁の一部が表面層の外周縁の内側に位置している。中間基材層の形状は特に限定されるものではないが、例えば、中間基材層が矩形である場合は、対向する一対の辺が表面層の外周縁の内側に位置することが好ましい。また、図２（ｂ）では、中間基材層の外周縁Ｐの全部が表面層４の外周縁の内側に位置している。これにより、中間基材層の外周縁が表面層に覆われることとなり、中間基材層の意図しない脱離を抑制することができる。
また、上記のような構成とすることにより、表面層の一部が被着面に貼着することとなる。表面層がカバー層と第２の粘着剤層から構成される場合は、第２の粘着剤層の一部が被着面に貼着する。これにより、改ざん防止ラベルと被着面の貼着をより強固なものとすることができる。さらに、改ざん防止ラベルが被着面から意図せず剥離することを効果的に抑止することができる。
【００３４】
上述したように表面層の面積は、中間基材層の面積よりも大きいことが好ましい。このような場合、図３（ａ）に示されているように、第２の粘着剤層２４は、中間基材層２が存在しない外周領域において、被着体３０に貼着される。このように、第２の粘着剤層２４の少なくとも一部は、被着体３０に貼着していることが好ましい。第２の粘着剤層２４は、表面層４を剥離する際に、カバー層１４と第２の粘着剤層２４の間で剥離が生じるより先に、被着体から剥離し得る層である。このため、第２の粘着剤層２４は、カバー層１４に対して十分な投錨力を有していることが好ましい。それにより、第２の粘着剤層を構成する粘着剤が、被着体上に意図せずに残留することを抑制することができる。また、開封時に表面層を容易に剥離することが可能となる。
【００３５】
第１の粘着剤層は、中間基材層の支持層の一方の面側であって、剥離層が積層された面とは反対側の全表面上に積層されていることが好ましい。これにより、中間基材層と被着面との接着力を適切な強度で保持することができる。
【００３６】
また、第１の粘着剤層には、糊殺し加工が施されていてもよい。具体的には、中間基材層の支持層の一方の面側であって、剥離層が積層された面とは反対側の面の一部に糊殺し加工が施されていてもよい。このような場合、糊殺し加工は、中間基材層の支持層の一方の面側であって、剥離層が積層された面とは反対側の面の周縁部以外に設けられることが好ましく、これにより、残留層を被着面から容易に剥離することが可能となる。例えば、糊殺し部は、中間基材層の支持層の一方の面側であって、剥離層が積層された面とは反対側の面の一部に第１の粘着剤層を塗布しないことで形成することができる。なお、上述したように、第１の粘着剤層を部分的に形成することにより、結果的に糊殺し部が形成されてもよい。
【００３７】
図３は、本発明の改ざん防止ラベルの使用態様を説明する図である。図３（ａ）では、改ざん防止ラベル１００が被着体３０に貼着されている様子が示されている。図３（ａ）に示されているように、第１の粘着剤層６の全面は、被着体３０に貼着している。中間基材層２の外周縁の少なくとも対向する一対の辺が、表面層４の外周縁の内側に位置している場合、図３（ａ）に示されているように、表面層４の一部も被着体３０に貼着することとなる。なお、表面層４と、中間基材層２の面積は同じ場合であって、中間基材層２の外周縁と、表面層４の外周縁が全て重なり合う場合は、表面層４は被着体３０には貼着しない。
【００３８】
中間基材層２に切り込み線又はミシン目線Ｓが設けられている場合は、改ざん防止ラベル１００は、被着体の開口線Ｔに切り込み線又はミシン目線Ｓが重なるように貼り合わされる。被着体としては、封筒、箱、通函、容器、又は、袋等を挙げることができる。それらの中でも、被着体は、繰り返し用いられる容器であることが好ましい。開口線は、これらの被着体の開口部を封緘する部材上または部材の境界線上に設けられており、改ざん防止ラベル１００は、開口部を封緘する部材に跨るように貼着される。
【００３９】
図３（ｂ）に示されているように、開口部を開口する場合は、まず、表面層４を剥離する。表面層４を剥離する際には、表面層４に中間基材層２の一部（剥離層１２）が追従し、これらが一体となって剥離される。この場合、分断面Ｍで中間基材層２の一部（剥離層１２）が剥離され、中間基材層２の分断残留領域（支持層２２）が露出することとなる。
【００４０】
図３（ｃ）では、表面層４を剥離した後の状態が示されている。表面層４を剥離した後には、中間基材層２の分断残留領域（支持層２２）が露出する。すなわち、表面層４の剥離後には、中間基材層２の分断残留領域（支持層２２）と、第１の粘着剤層６が被着面に残留することとなる（残留層）。
【００４１】
本発明では、表面層４を剥離した際に追従して剥離される中間基材層２の一部（剥離層１２）は、分断面Ｍで分離された後は、復元が不可能であり、再接着力を有さない点に特徴がある。このように、中間基材層２の一部（剥離層１２）を中間基材層２の分断残留領域に再接着できないため、開封したことを正確に認知することができる。また、このような構成を有することにより、不正な開封を検知することや、不正な開封を抑止することができる。さらに、本発明の改ざん防止ラベルは表面層４の剥離後に再接着ができないため、ラベル自体の偽造を防止ですることができる。
【００４２】
（中間基材層）
本発明の改ざん防止ラベルは中間基材層を有する。中間基材層の一方の面には、表面層が接合され、他方の面には、第１の粘着剤層が積層される。表面層及び第１の粘着剤層はそれぞれ、中間基材層に接するように積層されており、中間基材層は、表面層と第１の粘着剤層に挟まれた層である。
【００４３】
中間基材層は、再接着できないように該中間基材層の面方向に沿って分断可能な層である。すなわち、中間基材層は、少なくとも２層に分断し得る層であり、表面層を剥離した際に、２層以上に層分離される層であることが好ましい。また、後述するように、中間基材層を２層以上の複層構成とし、各層の擬似接着面で分断する方法も挙げられる。
【００４４】
中間基材層が分断後に「再接着」ができない状態とは、２層以上に層分離された層が接着剤などの追加材料や接合部材を用いずに元通りに再貼り付けをすることができないことを意味する。また、「再接着」ができないとは、接着剤などの追加材料や接合部材を用いて再貼り付けをした場合であっても、元の状態に貼りあわせをすることができず、偽造をしたことが認知できることを意味する。
【００４５】
中間基材層を２層以上の複層構成とする場合は、中間基材層は剥離層と、支持層から構成される層であることが好ましく、剥離層と、支持層は、境界面（分断面）で分断する層であることが好ましい。ここでは、剥離層と支持層は、擬似接着されていることが好ましく、この場合、分断面は、擬似接着面であることが好ましい。
【００４６】
支持層としては、例えば、紙基材又はフィルム基材等を適宜使用できる。紙基材としては、キャストコート紙、アート紙、コート紙、上質紙等を挙げることができる。また、フィルム基材としては、ポリプロピレン、ポリエチレン、ポリエチレンテレフタレートやポリブチレンテレフタレート等のポリエステル、ポリ塩化ビニル等の各種高分子フィルムを挙げることができる。その他、蒸着紙、合成紙、布、不織布、金属ホイル等も適宜使用することができる。なお、支持層としては、上記を複数組み合わせて積層体にしたものを使用することもできる。
【００４７】
支持層には、表面に印刷が施されていてもよく、又は、表面に印刷層を有していてもよい。印刷層は、例えば、凸版印刷、オフセット印刷、フレキソ印刷、グラビア印刷、インクジェット印刷等の方法で形成することができる。印刷層には、例えば、表面層及び剥離層が剥離されたことを表示するような印刷を施したり、その他の注意表示をするための文字や図柄を印刷することができる。あるいは、被着体である容器に収納される物品に関する識別情報が印刷されていてもよい。識別情報は、例えば、被着体である容器に収納される製品のロット番号又は製品のＩＤ番号である。これにより、さらなる改ざん防止効果を発揮することができる場合がある。
また、表面層に着色をした基材を用いた場合であって、印刷層に表面層とは異なる色で着色を施した場合、表面層及び剥離層が剥離されたことを色の変化によって認識することが可能となる。
【００４８】
中間基材層が剥離層と支持層の２層構造である場合、支持層は、樹脂フィルムで構成されていることが好ましい。
【００４９】
本発明で用いることができる中間基材層としては、例えば、ユポコーポレーション社製のＳＡＲ６０を用いることができる。この場合、ＳＡＲ６０のラベルオモテ面が本発明の支持層に相当し、ラベルウラ面が本発明の剥離層に相当する。
【００５０】
（第１の粘着剤層）
本発明の改ざん防止ラベルは第１の粘着剤層を有する。第１の粘着剤層は、改ざん防止ラベルを被着体に貼り付けるための粘着剤層である。第１の粘着剤層を構成する粘着剤としては、例えば、ゴム系、アクリル系、ウレタン系、ビニルエーテル系等の粘着剤を挙げることができる。これらの中でも、耐候性、透明性等に優れ、広範な用途に使用できることから、アクリル系粘着剤が好ましく用いられる。アクリル系粘着剤としては、エマルジョン型、溶剤型、ホットメルト型等があり、本発明においては、いずれの型のものも使用できる。これらの中でも、安全面、品質面、コスト面からエマルジョン型アクリル系粘着剤が好ましい。
【００５１】
第１の粘着剤層は、必要に応じて他の任意成分を含有してもよい。他の任意成分としては、タッキファイヤー、粘着性微球体、増粘剤、ｐＨ調整剤、消泡剤、防腐防黴剤、顔料、無機充填剤、安定剤、濡れ剤、湿潤剤等が挙げられる。タッキファイヤーとしては、ロジン系樹脂、テルペン系樹脂、脂肪族系石油樹脂、芳香族系石油樹脂、水添石油樹脂、スチレン系樹脂、アルキルフェノール樹脂等が挙げられる。
【００５２】
第１の粘着剤層の粘着剤の粘着力は、５０〜８００Ｎ／ｍであることが好ましく、２００〜６００Ｎ／ｍであることがより好ましい。ここでいう第１の粘着剤層の粘着力（Ｎ／ｍ）とは、第１の粘着剤層と被着体の間の粘着力をいう。
【００５３】
第１の粘着剤層の厚さは、５〜１００μｍであることが好ましく、１０〜５０μｍであることがより好ましい。
【００５４】
（表面層）
本発明の改ざん防止ラベルは最表層に表面層を有する。表面層は中間基材層の一方の面に接合されている。表面層と中間基材層の接合様式は特に限定されることはないが、粘着剤層を介して接合していることが好ましい。すなわち、表面層は、粘着剤層を有することが好ましく、表面層は、粘着剤層（第２の粘着剤層）とカバー層を少なくとも有することが好ましい。表面層は、粘着剤層とカバー等以外に他の層を有していてもよく、２層以上の多層構造を有していることが好ましい。
【００５５】
カバー層には、紙基材又はフィルム基材等が用いられる。また、カバー層は、紙層とフィルム層の積層体としてもよい。紙基材としては、キャストコート紙、アート紙、コート紙、上質紙等を挙げることができる。また、フィルム基材としては、例えば、ポリエチレンテレフタレート（ＰＥＴ）、ポリエチレン（ＰＥ）、ポリプロピレン（ＰＰ）等の透明樹脂フィルムなどが挙げられる。なお、上述したように、中間基材層の表面には、印刷層を設けてもよい。中間基材層の表面に印刷層を設ける場合には、カバー層は透明であることが好ましく、透明樹脂フィルムや、半透明の紙基材を用いることができる。
【００５６】
第２の粘着剤層を構成する粘着剤としては、例えば、ゴム系、アクリル系、ウレタン系、ビニルエーテル系等の粘着剤を挙げることができる。これらの中でも、耐候性、透明性等に優れ、広範な用途に使用できることから、アクリル系粘着剤が好ましく用いられる。アクリル系粘着剤としては、エマルジョン型、溶剤型、ホットメルト型等があり、本発明においては、いずれの型のものも使用できる。これらの中でも、安全面、品質面、コスト面からエマルジョン型アクリル系粘着剤が好ましい。
【００５７】
第２の粘着剤層は、必要に応じて他の任意成分を含有してもよい。他の任意成分としては、タッキファイヤー、粘着性微球体、増粘剤、ｐＨ調整剤、消泡剤、防腐防黴剤、顔料、無機充填剤、安定剤、濡れ剤、湿潤剤等が挙げられる。タッキファイヤーとしては、ロジン系樹脂、テルペン系樹脂、脂肪族系石油樹脂、芳香族系石油樹脂、水添石油樹脂、スチレン系樹脂、アルキルフェノール樹脂等が挙げられる。
【００５８】
第２の粘着剤層の粘着剤の粘着力は、５０〜８００Ｎ／ｍであることが好ましく、２００〜６００Ｎ／ｍであることがより好ましい。なお、ここでいう第２の粘着剤層の粘着力とは、第２の粘着剤層の粘着力（Ｎ／ｍ）とは、第２の粘着剤層と、中間基材層の間の粘着力をいう。
【００５９】
表面層の厚みは、５〜１００μｍであることが好ましく、１０〜５０μｍであることがより好ましい。表面層の厚みを上記範囲内とすることにより、改ざん防止ラベルを被着体に貼着した後に、表面層を剥離する際に、その剥離を容易にすることができる。また、表面層の厚みを上記範囲内とすることにより、表面層を剥離している途中に表面層が破断することを抑制することができる。
【００６０】
（剥離シート）
本発明の改ざん防止ラベルの第１の粘着剤層の表面であって、中間基材層が設けられていない側の面には、剥離シートが積層されていることが好ましい。この剥離シートは、改ざん防止ラベルを被着面貼着する直前に、剥離されることが好ましい。このような剥離シートを設けることにより、第１の粘着剤層の露出面に意図しない異物等が付着することを防ぐことができる。
【００６１】
剥離シートとしては、例えば、周知の剥離シートが使用される。周知の剥離シートとしては、例えば、キャストコート紙、アート紙、コート紙、上質紙、クラフト紙、グラシン紙等の紙の表面に、必要に応じて目止め層を形成した上で、シリコーン系等の剥離剤を塗布した剥離シートなどが挙げられる。
【００６２】
（被着体）
本発明の改ざん防止ラベルは、第１の粘着剤層を被着体に貼着することで、被着体に貼り付けられる。第１の粘着剤層は、改ざん防止ラベルを被着体に貼り付けるための粘着剤層である。
【００６３】
被着体の表面を構成する樹脂としては、ポリエチレン（ＰＥ）、ポリプロピレン（ＰＰ）等のポリオレフィン、アクリロニトリル・ブタジエン・スチレン（ＡＢＳ）、ポリエチレンテレフタレート（ＰＥＴ）、ポリカーボネート、ポリスチレン等のプラスチック等を挙げることができる。また、被着体の表面は、紙であってもよい。紙としては、キャストコート紙、アート紙、コート紙、上質紙等を挙げることができる。これらの中でも、被着体はプラスチックであることが好ましい。
【００６４】
（改ざん防止ラベルの貼着方法）
本発明は、中間基材層と、該中間基材層の一方の面に接合された表面層と、該中間基材層の他方の面に積層された第１の粘着剤層とを有する改ざん防止ラベルを、被着体に貼着する改ざん防止ラベルの貼着方法に関するものでもある。本発明の改ざん防止ラベルの貼着方法においては、表面層を剥離後に被着体上に残る残留層であって、中間基材層の分断残留領域と第１の粘着剤層から構成される残留層は、剥離可能な状態を維持できる被着体に貼着される。なお、改ざん防止ラベルの中間基材層は、表面層を剥離する際に、面方向に沿って復元不可能に分断され得る層である。
【００６５】
本発明の改ざん防止ラベルの貼着方法においては、中間基材層に対する表面層の粘着力（Ｎ／ｍ）をＡとし、中間基材層を該中間基材層の面方向に沿って分断するのに必要な剥離力（Ｎ／ｍ）をＢとし、被着体に対する第１の粘着剤層の粘着力（Ｎ／ｍ）をＥとしたとき、Ｂ＜Ｅ、Ｂ＜Ａであることが好ましい。
【符号の説明】
【００６６】
２      中間基材層
４      表面層
６      第１の粘着剤層
１２    剥離層
２２    支持層
１４    カバー層
２４    第２の粘着剤層
３０    被着体
１００  改ざん防止ラベル
Ｍ      分断面
Ｐ      中間基材層の外周縁
Ｓ      切り込み線又はミシン目線
Ｔ      開口線
【図１】
2016224358.tif 000003
【図２】
2016224358.tif 000004
【図３】
2016224358.tif 000005